(57)【要約】【課題】  音声遅延および音声品質の低下のない、多重化信号を送受信する装置および方法を提供すること。【解決手段】  ｉＤＥＮはセントラルオフィス（２）に位置する複数のトランスコーダ（４）に相互接続される基地無線機（１０４）を備える。基地無線機（１０４）は複数のトランスコーダ（４）からの音声パケットを時分割多重信号フレーム（２０）に時分割多重する。各信号フレーム（２０）は複数の連続フレーム（２０４）を含む。各連続フレーム（２０４）はチャネルインターリーブに基づいて所定数のスロット（２０２）を含む。スロット（２０２）の各々はスロット記述子ブロック（２０２４）および複数のサブスロット（２０２６，２０２８）を含む。スロット記述子ブロック（２０２４）は複数のサブスロット（２０２６，２０２８）に対するオーバーヘッド情報を交互に含む。【選択図】      図１
2004282750.tif 000002
【特許請求の範囲】
【請求項１】
複数の連続フレームを含む時分割多重信号を生成する基地無線機であって、前記複数の連続フレームの各々は複数のスロットを含み、
前記複数のスロットの少なくとも１つは、
複数のユーザのためのペイロードを含む複数のサブスロットと、
前記複数のサブスロットに対するオーバーヘッド情報を交互に含むスロット記述子ブロックとを有する基地無線機。
【請求項２】
前記複数のスロットは３スロットのチャネルインターリーブを有し、前記３スロットの各々は、該スロットに対応付けられた固有のスロットオフセットを有し、
前記複数のスロットの前記少なくとも１つは第１サブスロットおよび第２サブスロットを有し、
前記スロット記述子ブロックは、前記固有のスロットオフセットに基づく前記第１サブスロットまたは前記第２サブスロットに対するオーバーヘッド情報をさらに含む、請求項１記載の基地無線機。
【請求項３】
前記スロット記述子ブロックは、前記第１サブスロットおよび前記第２サブスロットに対応付けられたスロット番号が偶数の場合に前記第１サブスロットに関する前記オーバーヘッド情報を含み、前記スロット番号が奇数の場合に前記第２サブスロットに関する前記オーバーヘッド情報を含む、請求項２記載の基地無線機。
【請求項４】
共通搬送波上の複数の信号を多重化する方法であって、
前記複数の信号を、チャネルインターリーブに従って各々が所定数の前記複数の信号を含む所定数のスロットに分割するステップと、
前記所定数の前記複数の信号に対するオーバーヘッド情報を交互に含む記述子ブロックを生成して、各スロットに格納するステップと、
前記所定数のスロットの各々に固有のスロットオフセットを割り当てるステップとからなる方法。
【請求項５】
前記複数の信号を前記所定数のスロットに分割する前記ステップは、前記複数の信号を、そのうちの少なくとも１つが第１信号および第２信号を含み、チャネルインターリーブが３である３つのスロットに分割するステップをさらに有する、請求項４記載の方法。
【請求項６】
基地無線機によって生成される時分割多重信号フレームのサブスロットにユーザがアクセスできるようにする方法であって、前記時分割多重信号フレームは複数の連続フレームを含み、前記複数の連続フレームの各々はチャネルインターリーブに従って所定数のスロットを含み、前記所定数のスロットのうちの少なくとも１つはオーバーヘッド情報を含むスロット記述子ブロックおよびペイロードを提供する複数のサブスロットを有し、前記複数のサブスロットの各々は前記スロット記述子ブロックを共用し、かつスロットオフセットを有し、
前記スロットオフセットおよび前記チャネルインターリーブに基づいて前記所定数のスロットのうちのカレントスロットをカレント基地無線機から受信するステップと、
前記カレントスロットの前記スロット記述子ブロックを使用して、前記カレントスロットのスロット番号の前記スロットオフセットに基づいて前記カレントスロットに含まれる前記複数のサブスロットのうちのカレントサブスロットをデコードするステップとからなる方法。
【請求項７】
前記カレント基地無線機から新しい基地無線機へのハンドオーバー中にハンドオーバー処理を実行するステップをさらに有し、該ハンドオーバー処理は、
前記新しい基地無線機によって生成される時分割多重フレームの新しいスロットおよび新しいサブスロットを含む、前記新しい基地無線機に対するスロット割当てを前記カレント基地無線機から受信するステップと、
前記カレントスロットおよび前記新しいサブスロットに基づいて前記新しいスロットおよび前記新しいサブスロットに移動するタイミングを決定するステップと、
決定された前記タイミングに従って前記新しいスロットおよび前記新しいサブスロットに移動するステップとからなる、請求項６記載の方法。
【請求項８】
前記所定数のスロットのうちの前記カレントスロットを受信する前記ステップは、３スロットからなる前記カレントスロットを受信するステップとを有し、
前記スロット記述子ブロックを使用して前記複数のサブスロットのうちの前記カレントサブスロットをデコードする前記ステップは、前記スロット記述子ブロックを使用して前記スロット番号が偶数の場合に前記複数のサブスロットのうちの第１サブスロットをデコードするステップと、前記スロット記述子ブロックを使用して前記スロット番号が奇数の場合に前記複数のサブスロットのうちの第２サブスロットをデコードするステップとからなる、請求項６記載の方法。
【請求項９】
カレント基地無線機から新しい基地無線機へのハンドオーバー中にハンドオーバー処理を実行するステップをさらに有し、該ハンドオーバー処理は、
前記３スロットからなる新しいスロットと、第１サブスロットおよび第２サブスロットから構成される前記複数のサブスロットのうちの新しいサブスロットとが含まれる、前記新しい基地無線機に対するスロット割当てを前記カレント基地無線機から受信するステップと、
前記カレントスロット、前記新しいスロットおよび前記新しいサブスロットに基づいて前記新しいスロットおよび前記新しいサブスロットに移動するタイミングを決定するステップと、
決定された前記タイミングに従って前記新しいスロットおよび前記新しいサブスロットに移動するステップとからなる、請求項８記載の方法。
【請求項１０】
前記新しいスロットおよび前記新しいサブスロットに移動する前記タイミングを決定する前記ステップは、前記カレントスロットの前記スロットオフセットと前記新しいスロットの前記スロットオフセットとの差を求めるステップをさらに有する、請求項７記載の方法。
【発明の詳細な説明】
【技術分野】
【０００１】
本発明は信号の送受信に関し、より詳細には、インテグレーテッドデジタルエンハンストネットワーク（Ｉｎｔｅｇｒａｔｅｄ  Ｄｉｇｉｔａｌ  Ｅｎｈａｎｃｅｄ  Ｎｅｔｗｏｒｋ）内で多重化信号を送受信する装置および方法に関する。
【背景技術】
【０００２】
近年、ＡＭＢＥボコーダなどのエンハンストボコーダが、相互接続サービス用にインテグレーテッドデジタルエンハンストネットワーク（Ｉｎｔｅｇｒａｔｅｄ  Ｄｉｇｉｔａｌ  Ｅｎｈａｎｃｅｄ  Ｎｅｔｗｏｒｋ：ｉＤＥＮ）システムに導入されている。ＡＭＢＥボコーダが必要とする帯域幅は、ＶＳＥＬＰトランスコーダなどの初期のボコーダに必要な帯域幅のほぼ半分である。これらのエンハンストボコーダが必要とする帯域幅が減ったことにより、現行の３：１のインターリーブチャネルに代わって、６：１のインターリーブチャネルが使用可能となり、チャネル効率が２倍に向上すると共に、ＲＦ出力の節約を図ることができる。
【発明の開示】
【発明が解決しようとする課題】
【０００３】
しかし、６：１のインターリーブチャネルを使用した場合、音声遅延が大きくなり、この結果、３：１のインターリーブチャネルと比べ知覚音声品質が低下する。
【課題を解決するための手段】
【０００４】
上記問題点を解決するために、請求項１に記載の発明は、複数の連続フレームを含む時分割多重信号を生成する基地無線機であって、前記複数の連続フレームの各々は複数のスロットを含み、前記複数のスロットの少なくとも１つは、  複数のユーザのためのペイロードを含む複数のサブスロットと、  前記複数のサブスロットに対するオーバーヘッド情報を交互に含むスロット記述子ブロックとを有することを要旨とする。
【０００５】
請求項２に記載の発明は、前記複数のスロットは３スロットのチャネルインターリーブを有し、前記３スロットの各々は、該スロットに対応付けられた固有のスロットオフセットを有し、前記複数のスロットの前記少なくとも１つは第１サブスロットおよび第２サブスロットを有し、前記スロット記述子ブロックは、前記固有のスロットオフセットに基づく前記第１サブスロットまたは前記第２サブスロットに対するオーバーヘッド情報をさらに含む、請求項１記載のことを要旨とする。
【０００６】
請求項３に記載の発明は、前記スロット記述子ブロックは、前記第１サブスロットおよび前記第２サブスロットに対応付けられたスロット番号が偶数の場合に前記第１サブスロットに関する前記オーバーヘッド情報を含み、前記スロット番号が奇数の場合に前記第２サブスロットに関する前記オーバーヘッド情報を含む、請求項２記載のことを要旨とする。
【０００７】
請求項４に記載の発明は、共通搬送波上の複数の信号を多重化する方法であって、前記複数の信号を、チャネルインターリーブに従って各々が所定数の前記複数の信号を含む所定数のスロットに分割するステップと、前記所定数の前記複数の信号に対するオーバーヘッド情報を交互に含む記述子ブロックを生成して、各スロットに格納するステップと、前記所定数のスロットの各々に固有のスロットオフセットを割り当てるステップとからなることを要旨とする。
【０００８】
請求項５に記載の発明は、前記複数の信号を前記所定数のスロットに分割する前記ステップは、前記複数の信号を、そのうちの少なくとも１つが第１信号および第２信号を含み、チャネルインターリーブが３である３つのスロットに分割するステップをさらに有する、請求項４記載のことを要旨とする。
【０００９】
請求項６に記載の発明は、基地無線機によって生成される時分割多重信号フレームのサブスロットにユーザがアクセスできるようにする方法であって、前記時分割多重信号フレームは複数の連続フレームを含み、前記複数の連続フレームの各々はチャネルインターリーブに従って所定数のスロットを含み、前記所定数のスロットのうちの少なくとも１つはオーバーヘッド情報を含むスロット記述子ブロックおよびペイロードを提供する複数のサブスロットを有し、前記複数のサブスロットの各々は前記スロット記述子ブロックを共用し、かつスロットオフセットを有し、前記スロットオフセットおよび前記チャネルインターリーブに基づいて前記所定数のスロットのうちのカレントスロットをカレント基地無線機から受信するステップと、前記カレントスロットの前記スロット記述子ブロックを使用して、前記カレントスロットのスロット番号の前記スロットオフセットに基づいて前記カレントスロットに含まれる前記複数のサブスロットのうちのカレントサブスロットをデコードするステップとからなることを要旨とする。
【００１０】
請求項７に記載の発明は、前記カレント基地無線機から新しい基地無線機へのハンドオーバー中にハンドオーバー処理を実行するステップをさらに有し、該ハンドオーバー処理は、前記新しい基地無線機によって生成される時分割多重フレームの新しいスロットおよび新しいサブスロットを含む、前記新しい基地無線機に対するスロット割当てを前記カレント基地無線機から受信するステップと、前記カレントスロットおよび前記新しいサブスロットに基づいて前記新しいスロットおよび前記新しいサブスロットに移動するタイミングを決定するステップと、決定された前記タイミングに従って前記新しいスロットおよび前記新しいサブスロットに移動するステップとからなる、請求項６記載のことを要旨とする。
【００１１】
請求項８に記載の発明は、前記所定数のスロットのうちの前記カレントスロットを受信する前記ステップは、３スロットからなる前記カレントスロットを受信するステップとを有し、前記スロット記述子ブロックを使用して前記複数のサブスロットのうちの前記カレントサブスロットをデコードする前記ステップは、前記スロット記述子ブロックを使用して前記スロット番号が偶数の場合に前記複数のサブスロットのうちの第１サブスロットをデコードするステップと、前記スロット記述子ブロックを使用して前記スロット番号が奇数の場合に前記複数のサブスロットのうちの第２サブスロットをデコードするステップとからなる、請求項６記載のことを要旨とする。
【００１２】
請求項９に記載の発明は、カレント基地無線機から新しい基地無線機へのハンドオーバー中にハンドオーバー処理を実行するステップをさらに有し、該ハンドオーバー処理は、前記３スロットからなる新しいスロットと、第１サブスロットおよび第２サブスロットから構成される前記複数のサブスロットのうちの新しいサブスロットとが含まれる、前記新しい基地無線機に対するスロット割当てを前記カレント基地無線機から受信するステップと、前記カレントスロット、前記新しいスロットおよび前記新しいサブスロットに基づいて前記新しいスロットおよび前記新しいサブスロットに移動するタイミングを決定するステップと、決定された前記タイミングに従って前記新しいスロットおよび前記新しいサブスロットに移動するステップとからなる、請求項８記載のことを要旨とする。
【００１３】
請求項１０に記載の発明は、前記新しいスロットおよび前記新しいサブスロットに移動する前記タイミングを決定する前記ステップは、前記カレントスロットの前記スロットオフセットと前記新しいスロットの前記スロットオフセットとの差を求めるステップをさら
に有する、請求項７記載のことを要旨とする。
【発明の効果】
【００１４】
本願発明によって、複数のユーザ間でスロット記述子ブロックを共用できるようになる。これにより、ｉＤＥＮシステムのチャネル効率が２倍に向上すると共に、ＲＦ出力の節約を図ることができる。
【発明を実施するための最良の形態】
【００１５】
添付の図面において、同一の参照番号は同じ要素、または機能的に同等の要素を参照している。添付の図面は、以下に示す詳細な説明と共に本明細書に組み入れられ、本明細書の一部を形成するものであり、添付の図面は、本発明の種々の実施形態を詳細に示すと共に、本発明による種々の原理および利点を説明するものである。
【００１６】
本開示は、総括すると、信号フレームを送信する基地無線機、並びに同信号フレームを受信する加入者デバイスに関する。さらに本開示は、加入者デバイスが、ある基地無線機から別の基地無線機にハンドオーバーできるようにする手順に関する。この明細書において「加入者デバイス」または「加入者ユニット」との用語は、無線デバイスまたはワイヤレスユニットと同義に使用することができ、これらの各用語は、通常はユーザに随伴するデバイスを指し、典型的にはサービス契約に従って公衆網ないし専用回線において使用され得る無線デバイスを指す。
【００１７】
さらに本開示は、本発明の１つ以上の実施形態を実施するための最良の形態を実現可能な態様として説明するものである。さらに本開示は、本発明の原理およびその利点に対する理解および評価を深めるために行われ、本発明を限定する制限するために行われるものではない。本発明は、本願の係属中に為される全ての補正を含め、添付の特許請求の範囲、および特許発行時の特許請求の範囲の等価物の全てによってのみ定義される。
【００１８】
また、「第１」および「第２」等の関連を示す用語が使用される場合、これらはある要素、項目または行為を、別の要素、項目または行為と区別するためにのみ用いられ、これらの要素、項目または行為の間に、実際にこの種の関係もしくは順序付けが成立していることを要求または示唆するものではない。
【００１９】
本発明の機能および本発明の原理の多くは、これらの実施時に、好適には、特定用途向けＩＣなどのデジタル信号処理装置の集積回路（ＩＣ）によってサポートされる。利用可能な時間、現行技術、および経済環境などによって動機付けされる相当の努力を要し、また多くの設計上の選択肢があるにも関わらず、本明細書に開示される概念および原理の手引きにより、最小限の努力によってこの種のＩＣを容易に作製可能であることが、当業者は予想できるであろう。したがって、本発明による原理および概念が曖昧になることを最小限にとどめるために、この種のＩＣに関する説明は、好適な実施形態において使用する原理および概念に関する基本的な説明に限ることとする。
【００２０】
以下に詳細に記載するように、本発明の種々の原理およびこれらの原理の組み合わせを有利に用いて、複数の加入者デバイスのユーザの各々に対応付けられた複数の信号から構成される時分割多重信号フレームが生成される。複数の信号からなるグループの複数がオーバーヘッド情報を含むスロット記述子ブロックを共用しており、このためＲＦ帯域幅の利用効率が向上する。
【００２１】
次に図１に示すように、本発明の方法および装置は、全体を符号１によって示すインテグレーテッドデジタルエンハンストネットワーク（ｉＤＥＮ）システム（以後「ｉＤＥＮシステム」と記載する）内で実施される。通常、ｉＤＥＮシステム１は、セントラルオフ
ィス２、ベースサイト（または基地局）１０、ベースサイト１０で生成されて同ベースサイトから送信される時分割多重信号フレーム（信号フレーム）２０、およびこの信号フレーム２０を受信する少なくとも１つの加入者デバイス３０を備える。ｉＤＥＮシステム１の各要素について、以下に詳述する。
【００２２】
図２を参照すると、セントラルオフィス２は、種々の部品から構成されるが、特にトランスコーダ（またはボコーダ）４を備える。トランスコーダ４は、アナログトラフィックをエンコードし、エンコードしたアナログトラフィックを圧縮して、音声パケットを生成する。トランスコーダ４は、好ましくは、約４５ミリ秒の音声波形を音声パケットにエンコードするＡＭＢＥボコーダを備える。他のボコーダを使用することも可能である。しかし、下記に詳述するように、トランスコーダ４の帯域幅またはビットレートの要件によって、信号フレーム２０のチャネルインターリーブが制約される。セントラルオフィス２の他の要素および機能はこの技術分野では公知であり、認知されている。セントラルオフィス２に多数のベースサイトが接続される。簡潔を期すために１つのベースサイト１０のみを示す。
【００２３】
ベースサイト１０は、サイト制御装置１０２および基地無線機（または基地送信機）１０４を備える。サイト制御装置１０２は、公知のルーティングアルゴリズムに基づいて、トランスコーダ４などの１つ以上のトランスコーダからの音声パケットを正しい基地無線機にルーティングする。基地無線機１０４は、各音声パケットの前方エラー訂正を行ない、続いてそれらを時分割多重して信号フレーム２０（図３に示す）を生成し、搬送周波数などの共通搬送波を介して伝送する。より詳細には、基地無線機１０４は、各々が所定数の複数の信号を含むように、複数の音声パケット（または一般化すると信号群）を所定数のグループに分割する。所定数のグループの各々は時間のスロット（スロット）内に格納される。したがって、「グループ」との用語と「スロット」との用語とは同義で使用することができる。基地無線機１０４は、各スロットにオフセットの整数値を割り当てると共に、複数のスロットに所定のチャネルインターリーブを割り当てて、所定数のスロットを連続フレームに分割する。チャネルインターリーブはトランスコーダ４の帯域幅の要件に従って予め決定される。基地無線機１０４は、各スロット中に、そのスロット内の所定数の信号に対するオーバーヘッド情報を含むスロット記述子ブロックを生成して、スロット記述子ブロックをそれぞれのスロット内に格納する。以下に詳述するように、スロット記述子ブロックは、スロットに含まれる所定数の複数の信号に対するオーバーヘッド情報を交互に含むため、複数の信号がスロット記述子ブロックを共用できるようになる。基地無線機１０４は、スロット番号（図７を参照のこと）を各スロットに関連付け、複数のスロットにインデックスを付ける。最後に、基地無線機１０４は、信号フレームを変調して、共通搬送波を介して送信する。
【００２４】
基地無線機１０４は、基地無線機１０４を制御するマイクロプロセッサまたはデジタル信号処理チップ１０６、変調した信号フレームの信号電力を増幅する高出力アンプ１０８、および変調した信号フレームを送信する基地無線アンテナ１１０を備える。マイクロプロセッサ１０６に着目すると、マイクロプロセッサ１０６は、メモリ（図示なし）に記憶されている手順に従って基地無線機１０４を制御する。この手順には上記した多重化タスク、エンコードタスクおよびスロット記述子ブロックタスクを実行する命令が含まれる。
【００２５】
ここで、ベースサイト１０が複数の基地無線機を含むことに注目されたい。図２には、簡潔を期すために１つの基地無線機１０４のみが示されている。
図３を参照しながら、基地無線機１０４が生成する信号フレーム２０についてさらに詳細に記載する。上記したように、信号フレーム２０は、所定のチャネルインターリーブが割り当てられた複数のスロット２０２を含み、所定のチャネルインターリーブによって複数のスロット２０２が連続フレーム２０４に分割されている。例えば、チャネルインター
リーブが６の場合、各連続フレームは６つのスロット２０２を有することになる。図３に示すように、チャネルインターリーブが３の場合、各連続フレームは３つのスロット２０２を有することになる。さらに、チャネルインターリーブと、スロットオフセットとの組み合わせによって、加入者デバイス３０用の特定のスロットが定義される。例えば図３に示すように、加入者デバイス３０が、スロットオフセットが１であるスロットによって定義されるチャネルに割り当てられており、信号フレームのチャネルインターリーブが３である場合、加入者デバイス３０は、各連続フレーム２０４中の３つのスロット２０２のうちの先頭のスロットを受信する。
【００２６】
図４を参照すると、スロット２０２の各々は、フレーム同期を取るための同期ブロック２０２２、所定数の信号のペイロードを含む所定数のサブスロット（例えば２０２６，２０２８）、および複数のサブスロット（例えば２０２６，２０２８）に対するオーバーヘッド情報を交互に含むスロット記述子ブロック２０２４を有する。例えば図４および図７を参照すると、例として示すスロット２０２は、第１サブスロット２０２６および第２サブスロット２０２８を含み、スロット記述子ブロック２０２４はスロット番号が偶数の場合に第１サブスロット２０２６の情報を含み、スロット番号が奇数の場合に第２サブスロット２０２８の情報を含む。連続フレーム２０４の各々が３つのスロット２０２を含み、３つのスロット２０２の各々が２つのサブスロット２０２６，２０２８を含む信号フレーム形式は、スプリット３：１のアウトバウンドスロット形式と呼ばれる。
【００２７】
ここで、サブスロットまたはスロット全体が空の状態で、ペイロードを含まなくてもよいことに注目されたい。また、スロットが複数のスロットから構成されていなくてもよい。
【００２８】
図５を参照して、加入者デバイス３０について説明する。加入者デバイス３０は、（加入者デバイスの）ユーザが信号フレーム２０のサブスロットにアクセスできるようにする機能を実行する。勿論、加入者デバイス３０はさらに一般に知られている機能や、ここでの議論では扱わないほかの機能も実行する。加入者デバイス３０は、加入者デバイスアンテナ３０２、信号フレーム２０を受信すると共に音声信号またはデータ信号を送信するトランシーバ３０４、およびユーザインターフェイスとなるスピーカ３０８を備える。また、加入者デバイス３０は、メモリ３０７に記憶された手順に従って加入者デバイス３０を制御するマイクロプロセッサまたはデジタル信号処理チップ３０６を含む。
【００２９】
動作時に、加入者デバイス３０は、最初に基地無線機１０４との接続を確立する際に、制御チャネルを介して制御チャネル情報を受信する。理解しやすいように、加入者デバイス３０が現在接続しているこの基地無線機１０４を、カレント基地無線機１０４と呼ぶこととする。制御チャネル情報は、カレントスロット番号およびカレントサブスロットを含み、加入者デバイス３０宛のトラフィックを含むほか、任意選択でスロットオフセット割当ておよびチャネルインターリーブを含んでいてもよい。続いて、加入者デバイス３０は、カレント基地無線機１０４とのトラフィックチャネルにを使用して、信号フレーム２０の連続フレーム２０４の受信を開始する。加入者デバイス３０は、メモリ３０７に記憶されている手順に従って動作し、複数のスロット２０２内のカレントスロットを受信するために、チャネルインターリーブに従って連続フレームの各々を多重分離する。例えば、スロットオフセット割当が３であり、チャネルインターリーブが３である場合、カレントスロットは、各連続フレーム２０４の３番目のスロットになる。加入者デバイス３０は、連続フレーム２０４を多重分離した後、スロット記述子ブロック２０２４を使用して、カレントスロットに含まれる複数のサブスロットのうちのカレントサブスロットをデコードする。デコードされるサブスロットは、カレントスロットのスロット番号の値によって決まる。例えば、上に記載したように、カレントサブスロットを含むカレントスロット番号が奇数の場合、スロット記述子ブロック２０２４は第２サブスロットをデコードするために
利用される。したがって、加入者デバイス３０が第１サブスロットに割り当てられた場合、加入者デバイスは、偶数番号を付された最初のカレントスロットを受信するとデコードを開始する。また、加入者デバイス３０が第２のサブスロットに割り当てられた場合、奇数番号を付された最初のカレントスロットを受信するとデコードを開始する。この技術分野の当業者が理解するように、スロット番号は、カレント基地無線機から、制御チャネル情報と共に受信されており、基地無線機１０４と加入者デバイス３０との間のタイミングレートが共通であるため、加入者デバイス３０は、複数のスロットの各々のカレントスロット番号を認識している。
【００３０】
加入者デバイス３０は、第１のカレントサブスロットをデコードした後は、加入者デバイス３０がカレント基地無線機１０４との接続を維持している限り、後続の各カレントサブスロットに格納されているペイロード情報を取得するために、そのカレントスロットのスロット記述子ブロック２０２４を使用する必要はない。しかし、加入者デバイス３０が、カレント基地無線機１０４と新しい基地無線機（図示なし）との間でハンドオーバーする場合、加入者デバイス３０は、再度スロット記述子ブロック２０２４を使用して、新しいスロットおよびそのスロットの新しいサブスロットが正しいことを確認する必要がある。さらに、スロット記述子ブロック２０２４は、各スロット２０２のサブスロットの情報を交互に含むため、所定のタイミングでハンドオーバーを行なって過剰ミュートを回避する（下記に詳述する）必要がある。新しいスロットおよび新しいサブスロットに移動するタイミングを決定する処理を、ハンドオーバー処理６００と呼ぶ。
【００３１】
図６を参照して、図３，４に示すスプリット３：１のアウトバウンドスロット形式を有する信号フレーム２０のハンドオーバー処理６００について記載する。ハンドオーバー処理６００は、カレントスロット２０２、新しいスロットおよび新しいサブスロットに基づいて新しいスロットおよび新しいサブスロットに移動するタイミングを決定する処理である。ハンドオーバー処理６００は、加入者デバイス３０が、カレント基地無線機から、新しい基地無線機に対するスロット割当て（またはフレーム情報）を受信するステップ６０２から開始する。スロット割当てには、連続フレーム２０４の３つのスロット２０２の新しいスロット（スロットオフセットによりインデックス付けされている）のほか、複数のサブスロット２０２６，２０２８の新しいサブスロットが含まれる。
【００３２】
ステップ６０４において、加入者デバイス３０は、カレントスロットのスロットオフセットと新しいスロットのスロットオフセットとの差を求める。この差の絶対値が２または１の場合、ステップ６０６において、加入者デバイス３０は、新しいサブスロットが、第１サブスロット２０２６（Ａとして示す）または第２サブスロット２０２８のいずれであるかを判断する。新しいサブスロットが第１サブスロット２０２６である場合、ステップ６０８において、加入者デバイス３０は、新しい基地無線機の信号フレームに移動する正しいタイミングが、カレント基地無線機１０４からスロット番号が偶数であるスロット（偶数スロット）を受信した後であると判断し、続いてプロセス６００が終了する。
【００３３】
ステップ６０６において、加入者デバイスが、新しいサブスロットが第２サブスロット２０２８であると判断すると、ステップ６１６において、加入者デバイスは、新しい基地無線機の信号フレームに移動する正しいタイミングが、カレント基地無線機１０４からスロット番号が奇数であるスロット（奇数スロット）を受信した後であると判断し、続いてプロセス６００が終了する。
【００３４】
ステップ６０４において、カレントスロット２０２のスロットオフセットと新しいスロットのスロットオフセットとの差の絶対値が２または１でないと判断された場合、ステップ６１０において、この差が０であるかどうか判定される。換言すれば、ステップ６１０において、カレントスロットのスロットオフセットが新しいスロットのスロットオフセッ
トに等しいかどうかが判断される。この差が０である場合、ステップ６１２において、新しいサブスロットが第１サブスロット２０２６であるかどうかが判断される。新しいサブスロットが第１サブスロット２０２６である場合、ステップ６１６において、加入者デバイス３０は、新しい基地無線機の信号フレームに移動する正しいタイミングが、カレント基地無線機１０４から奇数スロットを受信した後であると判断し、続いてプロセス６００が終了する。
【００３５】
新しいサブスロットが第２サブスロット２０２８である場合、ステップ６１４において、加入者デバイス３０は、新しい基地無線機の信号フレームに移動する正しいタイミングが、カレント基地無線機１０４から偶数スロットを受信した後であると判断し、続いてプロセス６００が終了する。
【００３６】
ここで、スプリット３：１のアウトバウンドスロット形式など、３つのチャネルインターリーブを有する信号フレームでは、新しいスロットのスロットオフセットとカレントスロットのスロットオフセットとの差が２，１または０以外の値を取ることはないため、判断ブロック６１０に第２の分岐がないことに注目されたい。
【００３７】
最後に、加入者デバイス３０は、タイミングを決定すると、決定したタイミングに従って新しいスロットおよび新しいサブスロットに移動する。
再び図３および図４を参照しながら、スプリット３：１のアウトバウンドスロット形式を詳述する。上記したように、信号フレーム２０のチャネルインターリーブは３であるため、複数のスロット２０２が、各々３つのスロット２０２を含む連続フレーム２０４に分割される。３つのスロット２０２の各々は、持続時間が約０．７５ミリ秒の同期ブロック２０２２、持続時間が約２ミリ秒のスロット記述子ブロック２０２４のほか、持続時間が各々約６．１２５ミリ秒の第１サブスロット２０２６および第２サブスロット２０２８を有する。スロット２０２の持続時間は各々約１５ミリ秒である。従来の時分割多重信号フレームの場合のように、各スロット２０２は、固有のスロット番号を有する（図７参照）。スロット２０２のスロット記述子ブロック２０２２は、スロット２０２のスロット番号が偶数のときに、第１サブスロット２０２６に対するオーバーヘッド情報を含み、スロット番号が奇数のときに、第２サブスロット２０２８に対するオーバーヘッド情報を含む。スプリット３：１のアウトバウンドスロット形式によって、例えばＡＭＢＥトランスコーダなどのエンハンストトランスコーダを使用できるようになる。したがって、ｉＤＥＮシステムのチャネル効率が２倍に向上すると共に、ＲＦ出力の節約を図ることができる。また、スロット記述子ブロック２０２２が複数のサブスロットによって共用されるため、エンハンストトランスコーダによって音声品質の低下および音声遅延の増大を招くことはない。
【００３８】
図７を参照しながら、上記の方法に従った基地無線機１０４および加入者デバイス３０の動作の例を記載する。基地無線機１０４が生成する信号フレーム２０はスプリット３：１のアウトバウンドスロット形式を有する。加入者デバイス３０宛のペイロードは、各連続フレーム２０４の第１スロットの第１サブスロット（７０２で示す）に格納されている。加入者デバイス３０は、例えば連続フレーム２０４中で、スロット番号が偶数（スロット番号４など）である第１スロットを受信するために、各連続フレームを多重分離する。上記したように、加入者デバイス３０は、基地無線機１０４から、制御チャネル情報と共にスロットオフセット（本例では１）および第１スロット番号を受信するため、加入者デバイス３０は各連続フレーム２０４の第１スロットを受信すべきことを認識している。
【００３９】
続いて加入者デバイス３０は、スロット記述子ブロック２０２４を使用して第１サブスロット７０２をデコードする。その後、加入者デバイス３０は、ハンドオーバーが行なわれるまで、スロット記述子ブロック２０２４を利用することなく、各連続フレームの第１
サブスロット７０２の受信を続ける。
【００４０】
加入者デバイス３０は、ハンドオーバーを実行する前に、カレント基地無線機１０が生成する信号フレーム２０で新しいスロット割当てを受信する。このスロット割当ては、新しい基地無線機が生成する信号フレーム２１でのチャネルインターリーブの位置を示す。この例では、加入者デバイス３０に対する新しいスロット割当ては、各連続フレーム２０４の第３スロットの第２サブスロット（７０４で示す）である。続いて加入者デバイス３０は、カレントスロットのスロットオフセット（１）と新しいスロットのスロットオフセット（３）との差の絶対値を求める。この例では、差の絶対値は２となる。次に加入者デバイス３０は、新しいサブスロットが第１サブスロットまたは第２サブスロットのいずれであるかを判断する。この例では、新しいサブスロットは第２サブスロットである。したがって加入者デバイス３０は、移動するタイミングが、連続フレーム２０４の中でスロット番号が奇数の第１スロットをカレント基地無線機から受信した直後となると判断する。加入者デバイス３０は、判断したこのタイミングに従って、カレント基地無線機１０４の信号フレーム２０から例えばスロット番号７のスロットを受け取った後に、新しい基地無線機が生成する信号フレーム２１に移動し、連続フレーム２０４中の、スロット番号が奇数の第３スロットを正しく受信する。これは、図７の２つ目の矢印で示される。
【００４１】
加入者デバイス３０が、正しい移動のタイミングを決定するハンドオーバー処理６００を実行しない場合には、加入者デバイス３０のユーザは、さらに４５ミリ秒のミュート時間を必要とし得る。例えば、上記の例の加入者デバイス３０が、カレント基地無線機１０からスロット番号４のスロットを受信した後に新しい信号フレーム２１に移動したとすると、加入者デバイス３０は新規信号フレーム２１のスロット番号６のスロットを受信することになる。これは図７の１つ目の矢印によって示される。しかし、スロット記述子ブロックはスロット番号が偶数のスロットの第１サブスロットの情報を含んでいるため、加入者デバイス３０は、スロットの種類が正しいことを確認できず、スロット番号６の第２サブスロットをデコードすることができない。その結果、加入者デバイス３０は次の連続フレーム２０４のスロット９を待たなければならない。上に記載したように、各スロットは約１５ミリ秒の持続時間を有する。したがって、加入者デバイスのユーザは、連続フレーム２０４内に３つのスロットがあるため、４５ミリ秒のミュートを必要とする。
【００４２】
図８を参照すると、表８００はスプリット３：１のアウトバウンドスロット形式信号フレーム間を移動する全タイミングをまとめたものである。この表８００は、加入者デバイスメモリに記憶させることができる。このため、加入者デバイス３０は、差を求める代わりに表８００のタイミングを参照して移動のタイミングを決定することができる。
【００４３】
このため、本発明は、基地無線機１０４が特定のチャネルインターリーブを有する信号フレーム２０を生成する新規の方法を提供する。信号フレーム２０は加入者デバイスによって受信される。各信号フレーム２０は、多くの連続フレーム２０４を含み、これらの連続フレームの各々はチャネルインターリーブに等しい数のスロットを含む。この数のスロット２０２の各々は、複数のサブスロット（例えば２０２６，２０２８）と、複数のサブスロット（例えば２０２６，２０２８）によって共用されるスロット記述子ブロック２０２４とを含む。加入者デバイス３０は、新しい基地無線機が生成する信号フレーム２１に移動するためのハンドオーバー処理６００を実行する。マイクロプロセッサ１０６は、メモリ１０７に記憶されている手順に従って信号フレームを生成するために、基地無線機１０４を制御する。マイクロプロセッサ３０６は、信号フレームを受信し、メモリ３０７に記憶されている手順に従ってハンドオーバー処理６００を実行するために、加入者デバイス３０を制御する。
【００４４】
上記の説明は好適な実施形態に関するものであるが、本実施形態に、添付の特許請求の
範囲の技術範囲および公正な解釈から逸脱しない範囲の変形、変更、または変化を加え得ることが理解されるであろう。例えば、スプリット３：１のアウトバウンドスロット形式に関しては、スロット記述子ブロック２０２４を変更して、スロット番号が奇数のスロットの第１サブスロット２０２６の情報を含むようにしてもよい。
【００４５】
また、基地無線機１０４は、サブスロットを含むスロットとサブスロットを含まないスロットとを混合させた信号フレームを生成することができる。さらに、各スロット内のサブスロットの数は２に限定されず、これより多くてもよい。しかし、各スロット内のサブスロットの数は複数のトランスコーダが必要とする帯域幅に従って決定される必要がある。
【図面の簡単な説明】
【００４６】
【図１】本発明が実行されるインテグレーテッドデジタルエンハンストネットワークシステムの代表例を示す略式図。
【図２】図１の基地無線機およびセントラルオフィスを示すブロック図。
【図３】基地無線機が生成する時分割多重信号フレームの例を示す図。
【図４】図３の時分割多重信号フレームのスロットの例を示す図。
【図５】図１のｉＤＥＮシステム内の加入者デバイスを示すブロック図。
【図６】加入者デバイスが実行するハンドオーバー処理のフローチャート。
【図７】実行されるハンドオーバー処理の例を示す図。
【図８】スロットの例に関するハンドオーバーの全タイミングを示す表。
【符号の説明】
【００４７】
２０２…スロット、１０４…基地無線機、２０４…連続フレーム、２０２６，２０２８…サブスロット，２０２４…スロット記述子ブロック。
【図１】
2004282750.tif 000003
【図２】
2004282750.tif 000004
【図３】
2004282750.tif 000005
【図４】
2004282750.tif 000006
【図５】
2004282750.tif 000007
【図６】
2004282750.tif 000008
【図７】
2004282750.tif 000009
【図８】
2004282750.tif 000010